(57)【要約】【課題】鼻に装着されて、自動車等から排出される排気ガス等の吸引を軽減又は防止する鼻マスクを提供する。【解決手段】鼻マスク１００は、それぞれ開口端１０およびスルーホール端１１を有する収容スペース１２を形成する１対の本体１、この１対の本体１の開口端１０の縁を連結する連結部２および収容スペース１２内に配置されるフィルタ装置３により構成される。本体1の開口端１０の上縁に配置される翼状の突起を有し、鼻腔の上鼻翼をシールする。本体１は、シリコーンゴム、熱可塑性ポリウレタン（ＴＰＵ）、熱可塑性ゴム（ＴＰＲ）等の弾性軟質材料製である。【選択図】図１
2007503230.tif 000002
【特許請求の範囲】
【請求項１】
それぞれ開口端およびスルーホール端を有する収容スペースを形成する１対の本体と、
該１対の本体の前記開口端の縁を連結する連結部材と、
前記各本体の前記収容スペース内に配置されるフィルタ装置とを備え、
翼状の突起が前記各本体の前記開口端の上縁に配置され、鼻腔の上鼻翼をシールし、前記各本体は前記鼻腔をシールする構造体を形成し、前記各本体は弾性軟質材料製であることを特徴とする鼻マスク。
【請求項２】
前記１対の本体は、更に脱落防止手段を備え、該脱落防止手段は、鼻孔の縁に係合する凹部、隔壁軟骨プラグ、翼状の凹み又は翼状のノッチであることを特徴とする請求項１に記載の鼻マスク。
【請求項３】
前記１対の本体は、鼻孔の縁、隔壁軟骨プラグ、翼状の凹みおよび／又は翼状のノッチと係合する窪みを形成する複数の脱落防止手段を更に備えることを特徴とする請求項１に記載の鼻マスク。
【請求項４】
前記連結部材は、弾性軟質材料製であることを特徴とする請求項１に記載の鼻マスク。
【請求項５】
前記連結部材は、Ｕ字状、Ｃ字状又はカーブした円弧状のホルダであることを特徴とする請求項４に記載の鼻マスク。
【請求項６】
前記弾性軟質材料は、シリコーンゴム、熱可塑性ポリウレタン（ＴＰＵ）、熱可塑性ゴム（ＴＰＲ）又は水ハイドロスコープ特性を有するポリマであることを特徴とする請求項１に記載の鼻マスク。
【請求項７】
前記１対の本体の収容スペースは、その内壁に配置された複数の溝を更に有することを特徴とする請求項１に記載の鼻マスク。
【請求項８】
前記フィルタ装置は、フィルタ材料であることを特徴とする請求項１に記載の鼻マスク。
【請求項９】
前記フィルタ材料はネット（網）状であることを特徴とする請求項８に記載の鼻マスク。
【請求項１０】
前記フィルタ材料は、編織布又は不織布であることを特徴とする請求項８に記載の鼻マスク。
【請求項１１】
前記フィルタ材料は、フィルタ効果を有するフォーム状部材であることを特徴とする請求項６に記載の鼻マスク。
【請求項１２】
前記フィルタ材料は、薬剤の制御された解放を行うマイクロカプセルを有するフォーム状体又は不織布であることを特徴とする請求項８に記載の鼻マスク。
【請求項１３】
それぞれ開口端およびスルーホール端を有する収容スペースを形成する１対の本体と、
該１対の本体の前記開口端の縁を連結する連結部材と、
前記各本体の前記収容部内に配置されたフィルタ装置と、
前記各本体の開口端の縁に配置された１対の調節可能な鼻孔皮膜とを備える鼻マスクであって、
翼状の突起が前記各本体の前記開口端の上縁に配置され、鼻腔の上鼻翼をシールし、前記各本体は鼻腔と密接に係合し、前記鼻マスクの前記各本体は弾性柔質材料製であり、前記調整可能な鼻孔皮膜は前記各本体の前記開口端の縁から延びて鼻孔の前端をシールすることを特徴とする鼻マスク。
【請求項１４】
前記鼻マスクは、クリップオン装置を更に備えることを特徴とする請求項１３に記載の鼻マスク。
【請求項１５】
前記クリップオン装置は、外リムスリーブ状クリップであることを特徴とする請求項１４に記載の鼻マスク。
【請求項１６】
前記外リムスリーブ状クリップは、カーブした円弧状であることを特徴とする請求項１５に記載の鼻マスク。
【請求項１７】
前記調節可能な鼻孔皮膜は、拡がった形状を有することを特徴とする請求項１３に記載の鼻マスク。
【請求項１８】
前記調節可能な鼻孔皮膜は、１以上の引き裂き線を有し、前記引き裂き線に沿って引き裂くことにより開口端の寸法が調節可能であることを特徴とする請求項１７に記載の鼻マスク。
【発明の詳細な説明】
【技術分野】
【０００１】
本発明は鼻マスクに関し、特にエアフィルタ、薬物治療の制御された解放又は人間工学的鼻マスク機能を有する鼻マスク、又はエアフィルタ、薬物治療の制御された解放が可能であると共に人間工学的な快適さを与えるマルチファンクション鼻マスクに関する。
【背景技術】
【０００２】
モータサイクル（バイク）、自動車、工場、発電所（電力プラント）および廃棄物処理プラントからの排気放出、セメント工場および工事現場の周囲の埃は、空気汚染を益々深刻にしている。多くの市街地居住者は、外出時に空気中の汚染粒子を避けるためにマスクの着用を選択している。一般的なマスクは、鼻および口の両方を覆うので、その着用はユーザにとって不便である。この問題に焦点を当てて、従来、活性化された２本のカーボンピースを有する本体よりなる挿入型の鼻フィルタが開示されている（例えば、特許文献１参照。）。この本体は、水平ストリップで連結された１対の大径スリーブインサートを有する。この１対のスリーブインサートは、それぞれ入口穴を有する。この鼻マスクの本体は、柔軟性を有する材料製であり、異なる大きさの鼻孔の内壁に密着して適合するようにされている。２本の活性化されたカーボンピースは、空気吸入孔に被着され、鼻の通路を通過する空気をフィルタする。
【０００３】
別の従来技術として、２個の鼻カニューレ（排管）および２個の活性化カーボンフィルタよりなるフィルタ効果を有する鼻インサートが開示されている（例えば、特許文献２参照。）。そして、この鼻カニューレは、一体的に連結されたネット（網状）ベースおよび一体的に連結され、中間に活性化されたカーボンフィルタを配置するスペースリテーナを有するネットキャップを有する。可撓性を有する連結部材は、鼻のブリッジ部に固定される２個の鼻カニューレ間に配置（アレンジ）される。筒状の活性化されたカーボンフィルタは、スペースリテーナに取り付けられ、カニューレが鼻孔に挿入される前にネット（網）状のキャップが閉じられる。カニューレ間の連結部材は、鼻のブリッジ部に固定され且つ２個のカニューレは脱落しないように鼻孔内に固定される。
【０００４】
【特許文献１】台湾特許第４６９８３３号公報
【特許文献２】台湾特許第３２６６９３号公報
【発明の開示】
【発明が解決しようとする課題】
【０００５】
従来の挿入型鼻マスクは、従来のマスクに対して改善点を有するが、上述した従来の鼻マスクおよび鼻カニューレは、表面が滑らかなデザインである。これら滑らかな表面は、鼻腔内にシールできず、挿入体が脱落しがちである。また、それらのフィルタ機能にも疑問が呈せられる。従来技術は、空気中の粒子をフィルタして空気を活性化できたとしても、活性化カーボンフィルタの使用のみでは治癒効果又は健康効果を有せず、従って鼻マスクの機能を制限することとなる。
【０００６】
本発明は、従来技術の上述の如き課題、即ち活性化カーボンフィルタのみの使用および鼻腔をシールできないために脱落しがちであるという課題に鑑みなされたものであり、斯かる課題を解消又は軽減可能な鼻マスクを提供することを目的とする。
【０００７】
即ち、本発明の目的の１つは、マスクの本体にフィルタ装置を配置することにより、殺菌および/又は静菌可能な空気フィルタ機能を有する鼻マスクを提供することである。本発明の他の目的は、薬剤を含むフォーム状のマイクロカプセルを有するフィルタ装置を配置することにより、薬物治療の制御された解放機能を有し、薬物治療の徐々に解放して鼻粘膜に直接吸収させ、健康又は治療効果を発揮させる鼻マスクを提供することである。本発明の更に他の目的は、マスク本体の開放端の上マージン部に翼状の突起を配置して、マスク本体が鼻腔のシールを形成し、ユーザに快適感を与える人間工学的な鼻マスクを提供することである。本発明の更なる目的は、エアフィルタ機能、薬剤治療の制御された解放機能および人間工学的な快感を有し、不均一な構成を有する着脱防止手段の使用によりマスクと鼻腔のシールを増加し、且つフィルタ装置に殺菌、静菌又は薬剤の制御解放効果を有するフィルタ材料を使用することにより健康又は治療効果を発揮するマルチファンクション鼻マスクを提供することである。
【課題を解決するための手段】
【０００８】
本発明の鼻マスクは、それぞれ開口端およびスルーホール端を有する収容スペースを形成する１対の本体、この本体の開口端の縁を連結する連結部および各本体の収容スペース内に配置されるフィルタ装置を備え、翼状の突起が各本体の開口端の上縁に配置され、鼻腔の上鼻翼をシールし、本体は鼻腔をシールする構造を形成し、本体は弾性軟質材料製であることを特徴とする。
【０００９】
本発明の鼻マスクの好適実施形態によると、鼻マスクの本体は、１個以上の脱落防止手段を含んでいる。この脱落防止手段は、開口端と翼状の突起間に形成された鼻孔の縁に係合する凹みである。脱落防止手段は、本体のスルーホール端の上縁に配置される隔壁軟骨プラグである。脱落防止手段は、本体のスルーホール端の縁に沿ってカーブした円弧状に形成された翼状の凹みである。脱落防止手段は、翼状の突起の外縁に配置される翼状のノッチである。連結部材は、隔壁軟骨に係合するカーブした円弧状、Ｕ字状又はＣ字状のホルダである。弾性軟質材料は、シリコーンゴム、熱可塑性ポリウレタン（ＴＰＵ）、熱可塑性ゴム（ＴＰＲ）又はハイドロスコープ特性を有するポリマである。本体の収容スペースは、更にその側壁に複数の溝が設けられている。フィルタ装置は、フィルタ材料である。フィルタ装置は、使い捨てフィルタ又はフィルタと一体形成されたフィルタである。このフィルタ材料は、ネット（網）状構造である。フィルタ材料は、編織布又は不織布である。フィルタ材料は、フィルタ効果を有するフォーム状材料である。フィルタ材料は、薬剤の制御された解放をするマイクロカプセルを有するフォーム状又は不織布である。
【００１０】
また、本発明の鼻マスクは、それぞれ開口端およびスルーホール端を有する収容スペースを形成する１対の本体、これら本体の開口端の縁を連結する連結部材、各本体の収容スペース内に配置されたフィルタ装置および各本体の開口端の縁に配置された１対の調節可能な鼻孔皮膜を備え、翼状の突起が各本体の開口端の上縁に配置され、鼻腔の上鼻翼をシールし、本体は鼻腔と密接に係合し、鼻マスクの本体は弾性軟質材料製であり、調整可能な鼻孔皮膜は、本体の開口端の縁から延びて鼻孔の前端をシールすることを特徴とする。
【００１１】
この鼻マスクの好適実施形態によると、鼻マスクの本体は、更にクリップオン装置を含んでいる。このクリップオン装置は、外縁スリーブクリップであり、鼻粘膜により直接吸収されるようにバイオアクティブ剤を含む布地を固定する。調節可能な鼻孔皮膜は、拡がった形状であり、複数の引き裂き線を形成し、この線に沿って開口端の寸法を鼻孔に適合するよう調節可能である。
【発明の効果】
【００１２】
本発明の鼻マスクによると、次の如き実用上の顕著な効果が得られる。即ち、本発明の鼻フィルタによると、エアフィルタ、薬剤の制御された解放、人間工学的な構成等の種々の機能を有する。また、この鼻マスクは、ユーザの鼻孔の内壁に適合するデザインにより、鼻腔内に確実に係合し、ユーザが使用中に容易に脱落することなく、上述した従来のスムースな表面の鼻マスクに比較して装着感が優れている。更に、本体内に配置されるフィルタ装置に殺菌性、静菌性又は薬剤の制御された解放効果を有するフィルタ装置を配置することにより、鼻マスクは健康又は治療目的で装着使用することが可能である。また、本発明の鼻マスクは、酸素管又はその他の医療機器等の医療用途に使用して一層高度な処置を提供することが可能である。尚、本発明の鼻マスクは、人間のみならず、動物にも応用でき、動物間の感染症の伝染防止又はその処置にも適用可能である。
【発明を実施するための最良の形態】
【００１３】
以下、本発明による鼻マスクの好適実施形態の構成および動作（又は作用）を、添付図面を参照して詳細に説明する。
【００１４】
先ず、図１は、本発明による鼻マスクの好適実施形態の全体構成を示す正面図である。図１に示す鼻マスク１００は、１対の本体（メインボディ）１、連結部材２およびフィルタ装置３により構成される。各本体１は、開口端１０およびスルーホール端（図２参照）１１を有する収容スペース１２を形成する。連結部材２は、１対の本体１の開口端１０の縁（エッジ）同士を連結する。フィルタ装置（図２参照）３は、本体１の収容スペース１２内に配置されている。
【００１５】
次に、図１と共に鼻マスク１００の本体１の断面図を示す図２を参照すると、翼状の突起１３は、本体１の開口端１０の上縁に配置され、鼻腔と良好なシールを行い、本体１は鼻腔と密着する。連結部材２は、カーブした円弧状のホルダであり、鼻マスク１００を装着すると、鼻の軟骨と係合する。フィルタ装置３は、ネット（網）状構造の殺菌性および/又は静菌性フィルタ材料であり、本体１とは別体に使い捨て可能に構成でき、交換可能であると共に反復使用可能である。本体１および連結部材２は、弾性軟質材料の熱可塑性ポリウレタン（ＴＰＵ）製である。
【００１６】
この実施形態において、鼻マスク１００の本体１には、本体１のスルーホール端１１の上縁に形成された隔膜軟骨プラグ４１の形状である脱落防止手段が更に形成されており、鼻腔内の軟骨と係合して鼻マスク１００を鼻腔から脱落しないようにシールを増加させている。
いる。
【００１７】
本発明の好適実施形態によると、鼻マスク１００の本体１には、更に複数の開口端１０および翼状の突起１３間に形成された鼻孔４２の縁と係合する凹部、本体１のスルーホール端１１の上縁に沿って配置される隔膜軟骨プラグ４１、本体１のスルーホール端１１の縁に沿ってカーブした円弧状に形成され翼状の凹み（又は谷部）４３および翼状の突起１３の外縁に配置された翼状のノッチ４４を含む複数の脱落防止手段が設けられている。
【００１８】
鼻マスク１００を装着するには、鼻マスク１００がユーザの鼻腔に挿入される前に、先ずフィルタ材料を開口端１０から本体１の収容スペース１２内に配置する。翼状の突起１３が開口端１０の上縁に配置され且つ隔膜軟骨プラグ４１が本体１のスルーホール端１１の上縁に配置されるが、本体１は鼻腔構体をシールするので、鼻腔から脱落又は外れることはない。殺菌および／又は静菌フィルタを収容スペース１２内に配置すると、この鼻マスク１００は、フィルタ効果を提供する。鼻マスク１００を取り外すには、ユーザは単に手を使用して連結部材２を鼻腔から引き出せばよい。
【００１９】
次に、本発明の他の実施形態の鼻マスクの本体の断面図を示す図３を参照すると、収容スペース１２内に挿入されるフィルタ装置のフィルタ材料は、制御された解放効果を有するフォーム状のマイクロカプセル５であり、鼻粘膜に直接吸収されるバイオアクティブ材料を徐々に解放し、健康および／又は治療効果を有する。この実施形態のその他の構成は、上述した実施形態の構成と同様である。
【００２０】
次に、鼻マスク１００のフィルタ装置の他の具体例を示す図４を参照して説明すると、鼻マスク１００のフィルタ装置は、本体１の収容スペース１２内の側壁１４に刻まれた溝１５よりなり、時限解放性を有する薬剤６が溝１５内に被着され、ユーザ（即ち、鼻マスク１００の使用者）が鼻マスク１００を装着すると、その呼吸器官および鼻粘膜から直接吸収され、健康および／又は治療効果を発揮する。
【００２１】
次に、図５、図６および図２を参照して本発明による鼻マスクの他の実施形態について説明する。この鼻マスク１００は、１対の本体１、連結部材２、フィルタ装置３、１対の調整可能な鼻孔皮膜７およびクリップオン（保持）装置により構成される。ここで、本体１は、開口端１０およびスルーホール端１１を有する収容スペース１２を形成する。連結部材２は、１対の本体１の開口端１０の縁を相互に連結する。フィルタ装置は、本体１の収容スペース１２内に配置される。１対の調節可能な鼻孔皮膜７は、本体１の開口端１０の縁に配置されている。そして、クリップオン装置は、好ましくは外リムスリーブクリップ８であり、隔膜軟骨プラグ４１の側部および翼状の突起１３の側部に配置され、布製収容バイオアクティブ剤を固定し、鼻粘膜に直接吸収可能にする。
【００２２】
再度、図５および図６を参照すると、翼状の突起１３が鼻マスク１００の開口端１０の上縁に配置され、鼻腔の上鼻翼にシールされて、本体１が鼻腔と密接に係合するようにする。連結部材２は、カーブした円弧状のホルダであり、鼻マスク１００の装着時に鼻の隔膜軟骨と係合する。フィルタ装置３は、ネット状構造の殺菌性および／又は静菌性フィルタ材料であり、本体１とは別体デザインの使い捨てフィルタであり、取り替え又は反復使用が可能である。本体１および連結部材２は、弾性軟質材料であるＴＰＵ製である。調節可能な鼻孔皮膜７は、拡がった形状であり、複数の引き裂き線７０を有する。鼻マスク１００のユーザが、鼻マスク１００の本体１およびユーザの鼻孔間に空隙が生じるような大きい鼻孔を有するときは、開口端の穴寸法は、引き裂き線７０に沿って引き裂くことにより調節して鼻マスク１００がユーザの鼻腔にうまく適合又はフィットするようにしてもよい。
【００２３】
この実施形態において、鼻マスク１００の本体１には、更に軟骨フィット部材（隔膜軟骨プラグ）４１の形態の脱落防止手段が、本体１のスルーホール端１１の上縁に沿って設けられ、鼻腔内の軟骨と係合して鼻マスク１００と鼻腔とのシールを増加させ、それが脱落するのを防止する。
【００２４】
以上、本発明による鼻マスクの好適実施形態を例示して詳述した。しかし、これらの実施形態は本発明の適用範囲を制限するものと解するべきではなく、従って、本発明の要旨や精神を逸脱することなく種々の変形変更が可能であることが当業者には容易に理解できよう。よって、本願発明の技術的範囲は、添付された特許請求の範囲の記載により判断されるべきである。
【図面の簡単な説明】
【００２５】
【図１】本発明による鼻マスクの好適実施形態の正面図である。
【図２】本発明による鼻マスクの本体の部分断面図である。
【図３】本発明による鼻マスクの他の実施形態の部分断面図である。
【図４】本発明による鼻マスクの他の実施形態の側壁溝を示す図である。
【図５】本発明による鼻マスクの他の実施形態の正面図である。
【図６】本発明による他の実施形態の調節可能な鼻孔皮膜を示す図である。
【符号の説明】
【００２６】
１  本体
２  連結部材
３  フィルタ装置
５  フォーム状マイクロカプセル
１０  開口端
１１  スルーホール端
１２  収容スペース
１３  翼状の突起
４１  隔膜軟骨プラグ
４２  鼻孔
４４  翼状のノッチ
１００  鼻マスク
【図１】
2007503230.tif 000003
【図２】
2007503230.tif 000004
【図３】
2007503230.tif 000005
【図４】
2007503230.tif 000006
【図５】
2007503230.tif 000007
【図６】
2007503230.tif 000008
【国際調査報告】
2007503230.tif 000009
2007503230.tif 000010
2007503230.tif 000011
2007503230.tif 000012